(57)【特許請求の範囲】
【請求項１】
壁に対して手摺を取り付けるための手摺ブラケットであって、手摺を固定する手摺支持部と、壁面に固定される壁面固定部と、前記手摺支持部と前記壁面固定部とを連結するアーム部と、前記アーム部の幅方向両側を延長し、前記アーム部に対して垂直方向へ折曲して立設されるアーム補強部と、からなり、
前記アーム補強部の一端から連続して前記手摺支持部と当接する手摺支持補強部と、前記アーム補強部の他端から連続して前記壁面固定部と当接する壁面固定補強部とを有すること、を特徴とする手摺ブラケット。
【請求項２】
手摺支持補強部は、手摺支持部と手摺とを固定する固定手段により、手摺支持部と手摺とに固定され、壁面固定補強部は、壁面固定部と壁面とを固定する固定手段により、壁面固定部と壁面に固定されることを特徴とする請求項１に記載の手摺ブラケット。
【請求項３】
手摺支持補強部は、アーム部に対して直立するアーム補強部の手摺支持部側縁からアーム部中心方向へ折曲されて手摺支持部に当接しており、壁面固定補強部は、アーム部に対して直立するアーム補強部の壁面固定部縁側からアーム部中心方向へ折曲されて壁面固定部に当接していることを特徴とする請求項２に記載の手摺ブラケット。
【請求項４】
アーム部と手摺支持部との境界部分でアーム部の両側方において、アーム補強部と手摺支持補強部との境界部分を一部切除した位置を、手摺ブラケットにカバーを取り付けるためのカバー取付凹部とし、前記カバーには、カバー取付凹部に対応する位置にカバー取付突部を有し、前記カバー取付突部を前記カバー取付凹部に嵌入し、手摺ブラケットをカバーで覆ったことを特徴とする請求項３に記載の手摺ブラケット。
【請求項５】
壁面固定部に大径孔と小径孔とが連続する仮固定孔を有することを特徴とする請求項１、２、３、または４のいずれかに記載の手摺ブラケット。
【請求項６】
仮固定孔は、壁面固定部に１つのみ開孔することを特徴とする請求項５に記載の手摺ブラケット。
【発明の詳細な説明】
【技術分野】
【０００１】
本発明は、主に建造物の内装のときに使用されるもので、手摺として使用する手摺棒を壁面に固定するための手摺ブラケットに関する。
【背景技術】
【０００２】
この手摺ブラケットとして、壁面に固定される壁面取付座の両側から一対に延設されたアーム部を有し、これらのアーム部を先端部で合わせて固定して、手摺支持部とする先行技術が存在する。
これは、プレス加工で簡易に製造することができるようにすることにより、製造コストを低廉化するとともに強度を保つことができるようにしたものであった（例えば特許文献１参照）。
【先行技術文献】
【特許文献】
【０００３】
【特許文献１】特開２００８−３０８９０４号公報
【発明の概要】
【発明が解決しようとする課題】
【０００４】
しかし、特許文献１に記載の発明も強度が十分であるとは言えなかった。材料として安価であるが曲がり易いものを使った場合でも、十分な強度を保つ手摺ブラケットが望まれていた。すなわち、安価に製造可能であり、十分に強度を保つことができる手摺ブラケットが望まれていた。
【課題を解決するための手段】
【０００５】
本発明の手摺ブラケットは、壁に対して手摺を取り付けるための手摺ブラケットであって、手摺を固定する手摺支持部と、壁面に固定される壁面固定部と、前記手摺支持部と前記壁面固定部とを連結するアーム部と、前記アーム部の幅方向両側を延長し、前記アーム部に対して垂直方向へ折曲して立設されるアーム補強部と、からなり、前記アーム補強部の一端から連続して前記手摺支持部と当接する手摺支持補強部と、前記アーム補強部の他端から連続して前記壁面固定部と当接する壁面固定補強部とを有すること、を特徴とするものである。
【０００６】
また、手摺支持補強部は、手摺支持部と手摺とを固定する固定手段により、手摺支持部と手摺とに固定され、壁面固定補強部は、壁面固定部と壁面とを固定する固定手段により、壁面固定部と壁面に固定されることが好ましい。
【０００７】
また、手摺支持補強部は、アーム部に対して直立するアーム補強部の手摺支持部側縁からアーム部中心方向へ折曲されて手摺支持部に当接しており、壁面固定補強部は、アーム部に対して直立するアーム補強部の壁面固定部縁側からアーム部中心方向へ折曲されて壁面固定部に当接していることが好ましい。
【０００８】
また、アーム部と手摺支持部との境界部分でアーム部の両側方において、アーム補強部と手摺支持補強部との境界部分を一部切除した位置を、手摺ブラケットにカバーを取り付けるためのカバー取付凹部とし、前記カバーには、カバー取付凹部に対応する位置にカバー取付突部を有し、前記カバー取付突部を前記カバー取付凹部に嵌入し、手摺ブラケットをカバーで覆ったことが好ましい。
【０００９】
また、壁面固定部に大径孔と小径孔とが連続する仮固定孔を有することが好ましい。
【００１０】
また、仮固定孔は、壁面固定部に１つのみ開孔することが好ましい。
【発明の効果】
【００１１】
請求項１に記載の発明によれば、手摺ブラケットの高い強度を保つことができる。手摺は使用者が手摺棒に掴まって使用するものであり、手摺棒を支持する手摺ブラケットに荷重がかかるため、手摺ブラケットのうち、手摺支持部と壁面固定部との間を連結するアーム部に特に荷重がかかり、その部分の破損・変形の可能性が最も高く、補強の必要性が高い。請求項１に記載の発明によれば、前記アーム部の荷重方向へ立設されるアーム補強部により、上から下への荷重に対して強度が補強され、高い強度を保つことができる。
【００１２】
また、アーム補強部はアーム部から延長して形成されるものであり、一つの素材を屈曲して形成されている。したがって、別部材とすることなく、一つの部材により形成されているので製造費を安くすることができる。
また、手摺支持補強部及び壁面固定補強部もアーム補強部を屈曲して形成されているので、一つの部材により形成されており、製造費を安くすることができる。
【００１３】
請求項２に記載の発明によれば、手摺支持補強部は、手摺支持部と手摺とを固定する固定手段により手摺支持部と手摺とに、また、壁面固定補強部は壁面固定部と壁面とを固定する固定手段により壁面固定部と壁面に固定されているので、それぞれの固定手段により手摺支持補強部と壁面固定補強部とを固定することができ、取り付けが容易となる。さらに、手摺支持補強部及び壁面固定補強部が手摺ブラケットの手摺支持部及び壁面固定部に別の固定手段により固定されることとなり、アーム部や手摺支持部、壁面固定部が一部破損した場合でも、各補強部により手摺を支持、固定することが可能になる。
【００１４】
請求項３に記載の発明によれば、手摺支持補強部はアーム補強部の手摺支持部側縁から、また、壁面固定補強部はアーム補強部の壁面固定部側縁から、いずれもアーム部中心方向へ折曲されているので、アーム補強部の外方からの衝撃に対して強度を保つことができる。また、アーム補強部をアーム部から直立させることで、アーム部に対する荷重に対して強度が補強され、十分な強度を保つことができる。
【００１５】
請求項４に記載の発明によれば、アーム補強部と手摺支持補強部との境界部分を一部切除した部分にカバー取付突部を嵌めることにより、カバーを取り付けて固定することができる。これにより、外観のよい手摺ブラケットとすることができる。
また、一つの部材を折曲して補強部を含む手摺ブラケットとし、折曲する位置を一部切除することによりカバー取付凹部とすることができ、簡単な成型でカバーを取り付けることが可能になる。
また、カバーの色彩・形状のバリエーションを増やすことができる。
【００１６】
請求項５に記載の発明によれば、壁面固定部に大径孔と小径孔が連続する仮固定孔を形成し、ネジ等の固定手段を大径孔に通してから小径孔に仮固定することができ、手摺ブラケットを持ち上げて大径孔から外すと仮固定した手摺ブラケットを容易に外すことができる。
手摺ブラケットは一旦壁面に取り付けられ、壁紙張り付け業者がその手摺ブラケットを取り外して壁面に壁紙を張る作業を行い、その後取り外した手摺ブラケットを壁紙が貼られた壁面に再度取り付ける。そのため、仮固定が必要となるが、請求項５に記載の発明の仮固定孔により簡単な方法で仮固定が可能になる。
【００１７】
請求項６に記載の発明によれば、仮固定孔を壁面固定部に１つだけ開孔しても仮固定を行うことができる。複数の仮固定孔を設けた場合には各仮固定孔それぞれにより手摺ブラケットの位置を安定させる必要があるが、仮固定孔が１つのみの場合には、１つの仮固定孔のみで手摺ブラケットを仮固定すれば十分であり、仮固定された複数の手摺ブラケットに手摺棒を固定すると、各手摺ブラケットの位置をさらに安定させることができる。
これは、一つの部材で補強部を含む手摺ブラケットとする本発明においては、比較的軽い素材で手摺ブラケットを形成することができるから、この少ない重量の手摺ブラケットの仮固定は１つの仮固定孔で十分であり、仮固定された複数の手摺ブラケットに手摺棒を固定すると、各手摺ブラケットを直ちに安定させて固定することが可能になる。
【図面の簡単な説明】
【００１８】
【図１】本発明の手摺ブラケットの使用状態を示す斜視図である。
【図２】本発明の手摺ブラケットの一例を示す斜視図である。
【図３】本発明の手摺ブラケットの一例を示す左側面図である。
【図４】本発明の手摺ブラケットの一例を示す正面図である。
【図５】本発明の手摺ブラケットに使用するカバーの一例を示す斜視図である。
【図６】本発明の手摺ブラケットの下側カバー取付凹部の変形例を示す左側面図であって、（ａ）は下側カバー取付凹部が壁面固定部の上縁付近とした状態であり、（ｂ）は下側カバー取付凹部が下側幅広部分とした状態を示す。
【図７】本発明の手摺ブラケットを壁面に仮固定する場合の一例を示す斜視図であって、（ａ）は仮固定ネジを壁面に固定する状態を、（ｂ）は仮固定部に手摺ブラケットを引っ掛けた状態であって、仮固定ネジを絞め付けた状態を示す。
【図８】本発明の手摺ブラケットを壁面に仮固定及び固定する場合の一例を示す斜視図であって、（ａ）は各手摺ブラケットに手摺棒を固定する状態を、（ｂ）は固定手段により手摺ブラケットを本固定する状態を示す。
【発明を実施するための形態】
【００１９】
本発明の手摺ブラケットの一例について図面に沿って説明する。
図１は手摺ブラケット１、１の使用状態を示すもので、手摺ブラケット１、１は、適当な間隔を空けて壁面３に固定し、手摺棒２を支持、固定する。また、手摺ブラケット１、１にカバー４を装着することにより（図１の矢印線Ａ）、外観のよいものとすることができる。
【００２０】
図２は手摺ブラケット１の斜視図、図３は手摺ブラケット１の左側面図、図４は手摺ブラケット１の正面図である。
図２、図３、図４に示すように、手摺ブラケット１は、壁面に固定するための壁面固定部１１、手摺棒２を支持し、固定するための手摺支持部１２、前記壁面固定部１１と手摺支持部１２とを連結するアーム部１３とからなる。
【００２１】
本実施例の手摺ブラケット１は、一枚の金属板からなるもので、当該金属板を所定の形状に折曲して形成される。そのため、手摺ブラケット１を構成する壁面固定部１１、手摺支持部１２、アーム部１３のみならず、後述するアーム補強部１４、１４、壁面固定補強部１５、１５、手摺支持補強部１６、１６も同じ厚みとなる。
【００２２】
また、本実施例の手摺ブラケット１の材質は、通常強度の高い鋼板としてもよいが、アーム補強部１４、１４、壁面固定補強部１５、１５、手摺支持補強部１６、１６からなる補強部によって強度が保たれるので、比較的強度が低く、かつ、折曲が容易な材質としてもよい。
【００２３】
図２、図４に示すように、壁面固定部１１は長方形の所定厚みをもつ金属板からなり、その中央付近に大径孔２１の上側に小径孔２２が連続して逆鍵穴状となる仮固定孔２３が開孔されている。この仮固定孔２３の周囲に壁固定孔２４、２４が開孔されている。壁固定孔２４、２４は仮固定孔２３の右上側、右下側、左上側、左下側に４つ開孔されている。
壁面固定部１１は、壁面に固定するためのものであれば本実施例の形状に限定されるものではなく、多角形の金属板とする等、その他の形状としてもよい。また、壁固定孔２４、２４の開孔位置も、仮固定孔２３の左側と右側に２つ、仮固定孔２３の左側と右側と下側の３つとする等、他の位置であってもよい。
【００２４】
図２、図３に示すように、壁面固定部１１の上縁３１を延長し、その延長した部分を正面方向（図３の右側）へほぼ直角に折曲し、さらに延長してアーム部１３とする。この折曲は直角であることが望ましいが、必ずしも直角である必要はなく、鈍角や鋭角等その他の角度であってもよい。
【００２５】
図４に示すように、アーム部１３は壁面固定部１１の上縁３１を延長したもので、その幅は壁面固定部１１と同じになる。後述のようにアーム部１３の上縁３３から延長して手摺支持部１２とするので、手摺支持部１２の幅も壁面固定部１１、アーム部１３と同じになる。
【００２６】
図２、図３に示すように、アーム部１３は壁面固定部１１と手摺支持部１２とを連結するものである。図３に示すように、アーム部１３は壁面固定部１１の折曲された上縁３１からアーム部１３の折曲された上縁３３にわたって、湾曲している。
本実施例のアーム部１３の形状は、必ずしも図示のように湾曲させる場合のみに限定されるものではなく、側面からみて直線状となるような湾曲しない形態とする等、他の形態であってもよい。
【００２７】
アーム部１３の上縁３３を延長し、その延長した部分を正面方向（図３の右側）へほぼ直角に折曲して、手摺支持部１２とする。
また、手摺支持部１２は下方向（図３の下方向）に湾曲させて上面に凹みを有する形態とする。これは、手摺支持部１２がその上側に円筒状の手摺棒２を支持し、固定するためのものであり、その支持、固定を行い易くするために、手摺棒２の形状に合わせた凹みを有するように湾曲させたものである。但し、手摺棒２は円筒状のものに限定されず、角棒状の手摺棒でも良く、その場合には手摺支持部１２を湾曲させることなく、角棒状の形状にしてもよい。
手摺支持部１２の幅方向両側に、手摺棒固定孔２５、２５を開孔する。
【００２８】
図２、図３、図４に示すように、アーム補強部１４、１４は、アーム部１３の幅方向の両側方縁３２、３２を延長し、その延長した部分を当該縁３２、３２から折曲してアーム部１３から立設させる。
図３に示すように、本実施例のアーム補強部１４、１４は、湾曲した平板状のアーム部１３に対して直角方向に直立している。
【００２９】
アーム補強部１４、１４はアーム部１３を補強するものである。図１に示すように、手摺ブラケット１を使用したとき、使用者は手摺棒２に掴まるので、手摺ブラケット１に荷重がかかる。特に、アーム部１３は壁面固定部１１と手摺支持部１２とを連結するものであるから、この強度を保つことが必要になる。
【００３０】
図２、図３、図４に示すアーム補強部１４、１４は、アーム部１３にかかる荷重に対して強度を保つように補強するためのものである。アーム部１３は平板状であるために、この平板状の部分に対して折曲して立設されているアーム補強部１４、１４により、アーム部１３が下方向へ曲がったり、破損したりすることが少なくなる。
【００３１】
このアーム補強部１４、１４の立設は、図２、図３、図４に示す平板状のアーム部１３に対して垂直方向に折曲（直立）する場合のみを指すのではない。直立させた場合にはアーム部１３への強度を十分に保持することができるので、直立させることが望ましいが、直立ではないように立設させてもよい。具体的には、アーム部１３の下方向の荷重に対する補強となればよいのであって、図４に示すアーム補強部１４、１４が外方若しくは内方に傾斜していてもよい。また、図３に示すアーム補強部１４、１４はアーム部１３から右側（図３の右側）へ直立しているが、これも左側（図３の左側）に立設する等、その他の折曲形態としてもよい。
【００３２】
図２、図３に示すように、アーム補強部１４、１４の上縁３５、３５と下縁３４、３４には、その付近からアーム補強部１４、１４の幅が幅広になる上縁幅広部分３６、３６、下縁幅広部分３７、３７が形成されている。
【００３３】
上縁幅広部分３６、３６は、アーム補強部１４、１４の幅がアーム補強部１４、１４の上縁３５、３５の下側付近から徐々に広くなり、当該上縁３５、３５では手摺支持部１２の幅（図３の左右方向長さ）とほぼ同じになるように形成されている。
一方、下縁幅広部分３７、３７は、アーム補強部１４、１４の幅がアーム補強部１４、１４の下縁３６、３６付近から徐々に広くなり、当該下縁３４、３４では壁面固定部１１の高さ（図３の上下方向長さ）の約５分の４程度になるように形成されている。
この上縁幅広部分３６、３６と下縁幅広部分３７、３７とを有することで、アーム補強部１４、１４にかかる荷重に耐えて、さらに強度を保つことが可能になる。
【００３４】
図２、図４に示すように、壁面固定補強部１５、１５は、アーム補強部１４、１４の下縁３４、３４を延長し、その延長した部分を壁面固定部１１に沿わせて直角に各々折曲し、壁面固定部１１に当接させたものである。つまり、アーム補強部１４、１４の下縁３４、３４が壁面固定部１１に接する付近からアーム部１３の中心方向へ向かって折曲している。
このように直角に折曲することは十分な強度を保つうえで望ましいが、直角に折曲する必要はなく、鋭角又は鈍角に折曲してもよい。
【００３５】
壁面固定補強部１５、１５の壁面固定部１１への当接は、壁面固定部１１の仮固定孔２３を覆ってしまうことがないようにし、壁面固定部１１の中央に仮固定孔２３が、また、この仮固定孔２３の周囲に壁固定孔２４、２４が開孔されており、壁面固定補強部１５、１５はこの壁固定孔２４、２４を覆うように当接させてある。
なお、この形態は仮固定孔２３によって手摺ブラケット１を仮固定部品４３に引っ掛けることができるものであればよく、壁面固定補強部１５、１５が壁面固定部１１の仮固定孔２３までも覆って、その部分の仮固定孔２３に対応する位置に開孔する形態としてもよい。
【００３６】
ここでは、図３に示すように、壁面固定補強部１５、１５に、壁に固定するための補強部壁固定孔２６、２６が仮固定孔２３に対応させて開孔された場合が例示されている。すなわち、この補強部壁固定孔２６、２６は、壁面固定部１１の壁固定孔２４、２４と同じ直線状の位置で壁面固定補強部１５、１５に開孔されている。
したがって、図８（ｂ）に示すように、固定手段としてのネジ４１、４１を使用した場合において、補強部壁固定孔２６、２６と壁固定孔２４、２４とを介して、手摺ブラケット１を壁面３に固定することができる。
【００３７】
図２、図４に示すように、手摺支持補強部１６、１６は、アーム補強部１４、１４の上縁３５、３５を延長し、その延長した部分を手摺支持部１２の付近で直角に各々折曲して、手摺支持部１２に当接させてある。つまり、手摺支持部１２付近でアーム部１３の中心方向へ各々折曲させてある。
このように直角に折曲することは十分な強度を保つうえで望ましいが、直角に折曲する必要はなく、鋭角又は鈍角に折曲してもよい。
【００３８】
図３に示すように、手摺支持補強部１６、１６には補強部手摺棒固定孔２７、２７が開孔されている。この補強部手摺棒固定孔２７、２７は、手摺支持部１２の手摺棒固定孔２５、２５と一直線状の位置に開孔されている。したがって、図８（ａ）に示すように、固定手段としてのネジ４１、４１を使用した場合において、補強部手摺棒固定孔２７、２７と手摺棒固定孔２５、２５とを介して手摺棒２を手摺支持部１２に支持、固定することができる。
【００３９】
このように、本実施例の手摺ブラケット１にあっては、手摺支持部１２、壁面固定部１１、アーム部１３による壁面３への固定と、手摺棒２の支持、固定のみならず、アーム補強部１４、１４、壁面固定補強部１５、１５、手摺支持補強部１６、１６による補強がなされているので、手摺棒２の壁面３への固定において、十分な強度を保つことができる。
【００４０】
また、アーム補強部１４、１４と壁面固定補強部１５、１５と手摺支持補強部１６、１６とが、壁面固定部１１、手摺支持部１２、アーム部１３と一体の金属板からなるものであるため、他の補強部材を要さないので、製造コストを抑えることが可能になる。
【００４１】
図２、図３に示すように、アーム部１３の上縁３３を折曲する付近であって、アーム補強部１４、１４のうち上縁３５、３５を折曲する部分を一部切除した位置に、上側カバー取付凹部５１、５１が形成されている。
また、アーム補強部１４、１４のうち下縁３４、３４を折曲する部分のうち上下方向中央付近を一部切除した位置に、下側カバー取付凹部５２、５２が形成されている。
【００４２】
図１、５において符号４で示すように、各々のアーム補強部１４、１４の外側から手摺ブラケット１の周囲を覆うようなカバーが備えられている。このカバー４を手摺ブラケット１に取り付けるために、カバー４のうち上側カバー取付凹部５１、５１に相当する位置に突起状の上側カバー取付突部５３、５３が形成され、下側カバー取付凹部５２、５２に相当する位置に突起状の下側カバー取付突部５４、５４が形成されている。
このカバー４の上側カバー取付突部５３、５３と下側カバー取付突部５４、５４とを、手摺ブラケット１の上側カバー取付凹部５１、５１と下側カバー取付凹部５２、５２に嵌め込むことで、カバー４を手摺ブラケット１に固定することができる。
【００４３】
この上側カバー取付凹部５１、５１は、アーム部１３とアーム補強部１４、１４とを折曲するときに生じる隙間を巧みに利用したものである。補強部と一体として形成される手摺ブラケット１のうち、アーム補強部１４、１４の上縁３５、３５付近を一部切除するように形成すれば、上側カバー取付凹部５１、５１を簡単に形成することができる。これにより、本実施例の手摺ブラケット１にあっては、カバー４を嵌め込んで固定するためのカバー取付凹部を簡単に形成することができる。
また、カバー４は色彩、形状のバリエーションを増やすことができ、意匠上優れた手摺ブラケット１を提供することができる。
【００４４】
また、図６（ａ）に示すように、下側カバー取付凹部５２、５２は、アーム部１３の下縁であって壁面固定部１１の上縁３１を折曲する付近であって、アーム補強部１４、１４のうち下縁３４、３４を折曲する部分を一部切除した位置に形成することができる。
この位置に下側カバー取付凹部５２、５２を形成することは、上側カバー取付凹部５１、５１と同じく、アーム部１３とアーム補強部１４、１４とを折曲するときに生じる隙間を巧みに利用したものである。補強部と一体として形成される手摺ブラケット１のうち、アーム補強部１４、１４の下縁３４、３４付近を一部切除するように形成すれば、上側カバー取付凹部５１、５１と下側カバー取付凹部５２、５２とを簡単に形成することができる。
【００４５】
また、図６（ｂ）に示すように、下側カバー取付凹部５２、５２を、アーム部１４、１４のうち、下縁幅広部分３７、３７を一部切除して形成することができる。このように、下側カバー取付凹部５２、５２は上側取付凹部５１、５１と対になるものであり、手摺ブラケット１の下側に取り付けられることが望ましいが、図３に示す位置に限定されず、その他の位置であってもよい。
【００４６】
次に、手摺ブラケット１の固定方法について説明する。
手摺ブラケット１の固定については、通常、一旦施工業者が壁面３に手摺ブラケット１を取り付け、手摺棒２を取り付けて仮固定する。そして、施工業者の仮固定後、壁紙を貼り付ける壁紙業者が壁面３から仮固定後の手摺棒２と手摺ブラケット１とを取り外して壁紙を貼り付ける。その後、壁紙業者がもう一度、壁面３に手摺棒２と手摺ブラケット１を固定する。このように、施工業者と壁紙業者の作業内容が異なるので、手摺ブラケット１は、仮固定後、容易に取り外すことができ、さらに、もう一度同じところに取り付けて固定し易くすることが望まれる。
【００４７】
手摺ブラケット１の仮固定は、図７（ａ）に示すように、壁面３に固定手段である仮固定ネジ４２を螺入する（図７（ａ）の矢印線Ｂ）。この螺入は、仮固定ネジ４２全体を壁面３に螺入するのではなく、半分程度を螺入する。これは、仮固定ネジ４２のネジ頭と壁面３との間が、ブラケット１の厚み以上を確保する程度に螺入すればよく、仮固定ネジ４２に仮固定孔２３を引っ掛けることができればよい。この状態にすれば、仮固定ネジ４２のうち、壁面３から突出した部分を仮固定部４３とすることができる。
【００４８】
次に、図７（ｂ）に示すように、手摺ブラケット１の仮固定孔２３のうち大径孔２１に仮固定部４３を通した後、仮固定部４３が大径孔２１の上側の小径孔２２に位置するように手摺ブラケット１を移動させ、仮固定ネジ４２を絞め付ける。この状態であれば、手摺ブラケット１は壁面固定部１１の中央に一つのみ開孔されている仮固定孔２３に仮固定部４３で仮固定したのみなので、手摺ブラケット１は仮固定部４３を中心に回動してしまう（図７（ｂ）の矢印線Ｃ、Ｃ）。
【００４９】
しかし、図８（ａ）に示すように、複数の手摺ブラケット１、１の各固定孔２３、２３に仮固定部４３、４３を通した後、手摺ブラケット１、１の手摺支持部１２、１２の手摺棒固定孔２５、２５と補強部手摺棒固定孔２７、２７に固定手段であるネジ４１、４１をねじ込んで１本の手摺棒２を支持、固定させると（図８（ａ）の矢印線Ｄ、Ｄ）、手摺ブラケット１は仮固定部４３を中心に回動することがなく、仮固定することができる。
【００５０】
本実施例では固定手段としてネジ４１、４１を使用した場合を例示するものであるが、この場合にのみ限定されるものではなく、金属釘やその他のものであってもよい。
【００５１】
また、本実施例における仮固定方法は、先に複数の手摺ブラケット１、１に１本の手摺棒２を固定しておいてから、壁面３の適宜所定の位置に螺入された仮固定部４３、４３を各手摺ブラケット１、１の仮固定孔２３、２３に通すようにしてもよい。
【００５２】
この仮固定方法は手摺ブラケット１がアーム補強部１４、１４などの補強部を有することでその強度を保つことができるために、手摺ブラケット１の材質を比較的軽い素材にすることができ、その軽い材質による各手摺ブラケット１の仮固定は一つのみ開孔された仮固定孔２３を利用するだけで十分であり、極めて簡単に各手摺ブラケット１の仮固定が可能となる。
【００５３】
一旦仮固定された手摺ブラケット１、１は壁紙業者により手摺棒２ごと取り外される。つまり、仮固定孔２３、２３の小径孔２２、２２に仮固定部４３、４３で仮固定された状態から、仮固定ネジ４２を少し緩め、手摺棒２を握って持ち上げれば仮固定部４３、４３を小径孔２２、２２から大径孔２１、２１に移動さることができ、この大径孔２１、２１の位置において、手摺棒２付の各手摺ブラケット１、１を仮固定部４３、４３から引き抜けば、仮固定状態から容易に取り外すことができる。
【００５４】
次に、図８（ｂ）に示すように、手摺棒２の付いた手摺ブラケット１、１を本固定するに当たっては、一旦取り外された手摺ブラケット１、１の大径孔２１、２１に仮固定部４３、４３を通し、しかる後、手摺棒２を握って各手摺ブラケット１、１を押し下げれば、大口径２１、２１から小径孔２２、２２に移動させることができる。このとき、仮固定部４３が所定の位置で位置決めされているので、一旦取り外してもう一度取り付けるときに、仮固定位置と同じ位置に容易に取り付けることが可能になる。
そして、仮固定ネジ４２を再度絞め付けて仮固定状態と同じ状態にして、壁面固定部１１の壁固定孔２４、２４と壁面固定補強部１５の補強部壁固定孔２６、２６に固定手段であるネジ４１、４１を差し込むことで（図８（ｂ）の矢印線Ｅ、Ｅ）、容易に本固定することができる。
【００５５】
そして、図１に示すようにカバー４を手摺ブラケット１に装着すると（図１の矢印線Ａ）、外観上優れた施行作業を行うことができる有益な手摺ブラケット１を提供することができる。
【００５６】
この固定方法によると、仮固定が１本の仮固定ネジ４２によるものであるため、簡易な仮固定方法となり、仮固定が極めて容易になる。そして、従来は複数本のネジ等で仮固定していたため、一本の仮固定ネジ４２によって仮固定する本実施例は、仮固定状態から手摺ブラケット１を外すときに簡単に取り外すことができ、さらに本固定の場合にも簡単に再度取り付けることができる。
【００５７】
また、アーム補強部１４、１４の上下両端部から手摺支持補強部１６、１６と壁面固定補強部１５、１５とが設けられ、これらにより手摺棒２が取り付けられた手摺支持部１２を支持し、また、壁面３に固定された壁面固定部１１を支えているので、壁面固定部１１、手摺支持部１２、アーム部１３の一部にひび割れ等の破損が生じた場合でも、手摺棒２の固定や壁面３への固定を継続することができる。
また、壁面固定部１１、手摺支持部１２を壁面３、手摺棒２に固定する固定手段であるネジ４１により壁面固定補強部１５、１５、手摺支持補強部１６、１６を固定するので、補強部自体の固定の手作業が不要となり、取付が簡単になる。
【符号の説明】
【００５８】
１…手摺ブラケット、２…手摺棒、３…壁面、４…カバー、１１…壁面固定部、１２…手摺支持部、１３…アーム部、１４…アーム補強部、１５…壁面固定補強部、１６…手摺支持補強部、２３…仮固定孔、３２…アーム部の側方縁
【図１】
0005809436.tif 000002
【図２】
0005809436.tif 000003
【図３】
0005809436.tif 000004
【図４】
0005809436.tif 000005
【図５】
0005809436.tif 000006
【図６】
0005809436.tif 000007
【図７】
0005809436.tif 000008
【図８】
0005809436.tif 000009